(57)【特許請求の範囲】
【請求項１】
下部走行体の上方に支持される上部旋回体と、前記上部旋回体の側面を覆い開閉可能に設けられた側面カバーと、前記側面カバーの表側と裏側を貫通する開孔部と、前記側面カバーの内側に設けられた手摺りと、前記側面カバーの内側に設けられると共に、前記手摺りを固定する固定部材とを備え、前記手摺りは、少なくとも把持部と固定部により形成され、前記固定部が前記固定部材に固定されている建設機械において、
前記開孔部には弾性部材が装着され、前記弾性部材は前記把持部を挿通可能なスリットを設けており、前記側面カバーを閉じた状態で、前記把持部を前記開孔部に装着した前記弾性部材の前記スリットから挿通させて前記側面カバーの表側に露出させる構成とした建設機械。
【請求項２】
前記側面カバーの表側に凹部を形成し、前記凹部内に前記開孔部を設け、前記側面カバーを閉じた状態で、
前記把持部が前記側面カバーの表側に露出して前記凹部内に収容される構成としてなる請求項１に記載の建設機械。
【発明の詳細な説明】
【技術分野】
【０００１】
本発明は、油圧ショベル等の建設機械に関し、特に、手摺りを配置してなる建設機械に関するものである。
【背景技術】
【０００２】
建設機械としての油圧ショベルは、自走可能な下部走行体と、下部走行体上に旋回可能に搭載された上部旋回体と、上部旋回体前方に装着されるアタッチメントと、上部旋回体後方に配置されるカウンタウエイト等の各部により大略構成されている。
【０００３】
アタッチメントは、上部旋回体前方に俯仰可能に装着されるブームと、ブームの先端部に上下回動可能に連結されるアームと、アームの先端部に上下回動可能に取付けられるバケットにより構成されている。
【０００４】
一般に、上部旋回体にはキャブ、燃料タンク、作動油タンク、機械室等が設けられて機体を構成する。機械室にはエンジン、油圧ポンプ、冷却装置、及び油圧機器等の各種機器類が収容される。また、機械室の側面には、機械室を外側から覆う開閉自在の開閉カバーが設けられ、キャブには、開閉式の扉が設けられている。
【０００５】
機体の上部かつ側面側にメンテナンス等の作業が必要な機器、機器の一部またはその他のメンテナンス対象物（以下、これらを併せて「メンテナンス対象物」という。）がある場合、作業員は、機体側面に設けられる手摺りを把持して体を移動させ、地上から機体上部のメンテナンス対象物に辿り着くことができる。
【０００６】
例えば、機体の側部側に燃料タンクが配置されて、燃料タンクの上面には給油口が設けられ、給油口が地上から手の届かない位置にある場合、作業員は、燃料タンクへの給油を行う際には、下部走行体、あるいは下部走行体に設けられる昇降ステップに昇って給油作業が行える高さまで体を移動させる。ここで、下部走行体、あるいは下部走行体に設けられる昇降ステップに昇降する際には、機体側面に設けられる手摺りを把持することで容易に昇降することができる。
【０００７】
従来、機体を構成する機械室の側面に手摺りを設けたものが知られている。（例えば、特許文献１参照）。ここでは、手摺りは外方に露出しているので、外観上手摺りがあることが一見して判別できる。
【０００８】
また、各種機器類を収容する機械室が上部旋回体に設けられ、機械室内に手摺りが備えられているものがある（例えば、特許文献２参照）。ここでは、機械室を覆う開閉自在な側面カバーが機体の外側面に付設されており、手摺りを使用する場合は、側面カバーを開放した状態で手摺りを把持し使用する。
【先行技術文献】
【特許文献】
【０００９】
【特許文献１】特許第４６８５６９５号公報
【特許文献２】特開２００４−１９０２７６号公報
【発明の概要】
【発明が解決しようとする課題】
【００１０】
ところで、上述した特許文献１の建設機械では、手摺りは機体側面から突出しているが、機械室を開閉自在に覆う側面カバーの開閉軌跡を避けて配置されているため、手摺りの配置位置が制限されている。
【００１１】
このように、側面カバーの開閉軌跡を避けて手摺りを設置すると、機体の上部かつ側面側にあるメンテナンス対象物と、作業員が当該メンテナンス対象物まで体を移動させるために使用する手摺りの位置とが離れてしまう。
【００１２】
また、特許文献２のように機械室内に手摺りを設置すると、手摺りを使用するために都度機械室を覆う側面カバーを開放しなければならず、手間がかかる。
【００１３】
本発明の目的は、機体の上部かつ側面側にあるメンテナンス対象物に、地上から容易な体勢で体を移動させるために、手摺りを機体側面の任意の位置に設置すること、および手摺りの周辺に設置される開閉自在な側面カバーの開閉状態を気にすることなく使用できる手摺りを提供することにある。
【課題を解決するための手段】
【００１４】
請求項１に記載された発明は、下部走行体の上方に支持される上部旋回体と、前記上部旋回体の側面を覆い開閉可能に設けられた側面カバーと、前記側面カバーの表側と裏側を貫通する開孔部と、前記側面カバーの内側に設けられた手摺りと、前記側面カバーの内側に設けられると共に、前記手摺りを固定する固定部材とを備え、前記手摺りは、少なくとも把持部と固定部により形成され、前記固定部が前記固定部材に固定されている建設機械において、前記開孔部には弾性部材が装着され、前記弾性部材は前記把持部を挿通可能なスリットを設けており、前記側面カバーを閉じた状態で、前記把持部を前記開孔部に装着した前記弾性部材の前記スリットから挿通させて前記側面カバーの表側に露出させる構成としたものである。
【００１５】
請求項２に記載された発明は、請求項1記載の建設機械において、前記側面カバーの表側に凹部を形成し、前記凹部内に前記開孔部を設け、前記側面カバーを閉じた状態で、前記把持部が前記側面カバーの表側に露出して前記凹部内に収容される構成としたものである。
【発明の効果】
【００１６】
請求項１の発明によれば、作業員が、地上から機体の上部かつ側面側のメンテナンス対象物に向けて、メンテナンス作業を行える位置まで体を移動させるのに使用する手摺りを、容易な体勢で使用できる位置で、かつ、任意の位置に設置することが可能である。
【００１７】
さらに、側面カバーを閉じた状態で手摺りを把持できるので、作業員が手摺りを使用する際には、側面カバーの開閉を気にすることなく使用でき、また、側面カバーの機体前後方向に隣接する機体側面に設けられる開閉自在の開閉カバー、または、キャブの扉の開閉状態および開閉軌跡も気にすることなく使用できる。そして、側面カバーの開閉時には弾性部材が変形することでスリットが広がり把持部が挿通可能になるとともに、側面カバーの閉状態時には弾性部材は元の形に戻り開孔部の外側から収容室内への雨水等の浸入を防ぐことができる。
【００１８】
請求項２の発明によれば、手摺りは凹部内に収容されているので、作業員が手摺りの傍に近づく際に邪魔にならない。
【図面の簡単な説明】
【００１９】
【図１】油圧ショベルの側面図である。
【図２】アタッチメントの一部を省略した上部旋回体の平面図である。
【図３】上部旋回体の左側を主に示す斜視図である。
【図４】側面カバーの周囲を示す平面図である。
【図５】側面カバーを開放した状態を示す斜視図である。
【図６】手摺りと側面カバーの配置関係を図３中の矢示Ａ−Ａ方向から見た断面図である。
【図７】手摺りを拡大して見た斜視図である。
【図８】弾性部材の斜視図である。
【発明を実施するための形態】
【００２０】
以下、本発明の実施の形態を図面に基づいて説明する。
図１において、１は建設機械としての油圧ショベルであって、油圧ショベル１は、自走可能なクローラ式の下部走行体２と、下部走行体２上に旋回可能に搭載された上部旋回体（本発明の機体に相当する）３と、機体３の前側に俯仰可能に設けられ、土砂の掘削作業等を行うアタッチメント４と、機体３の後側に配置されるカウンタウエイト５等の各部から構成されている。
【００２１】
機体３は、図２で示すように前側中央部にアタッチメント４の基端部が装着されており、アタッチメント４の左方にはキャブ６が配され、キャブ６の後方には燃料タンク７が配され、アタッチメント４の右方には工具等が収納される工具箱８が配され、さらに工具箱８の後方には作動油タンク９が配されている。
【００２２】
また、機体３の後側にはカウンタウエイト５が配されており、燃料タンク７、作動油タンク９、及びカウンタウエイト５の間には、エンジン、油圧ポンプ、冷却装置、油圧機器等の各種機器類（図示せず）が収容される機械室１０が配されている。
【００２３】
図３で示すように、１１は機体３の支持構造体をなすアッパーフレームであり、このアッパーフレーム１１上に前述のアタッチメント４、キャブ６、燃料タンク７、工具箱８、作動油タンク９、機械室１０が配置されている。
【００２４】
機械室１０は、その外面をガードカバー２０で覆われて構成されており、ガードカバー２０のうち機械室１０の天井部を構成する部分は、アッパーフレーム１１から立設するガード柱１６（図４で示す）により支持されている。
【００２５】
機械室１０の側面には、機械室１０を外側から覆う開閉自在の開閉カバー（図示せず）が設けられている。また、キャブ６には、開閉式の扉６ａが設けられている。
【００２６】
燃料タンク７の上面には給油口７ａが備えられており、燃料タンク７への給油を行う際には、作業員は下部走行体２、あるいは下部走行体２に設けられる昇降ステップ（図示せず）に昇って、機体側面側から給油作業が行える高さまで体を移動させる。
【００２７】
ここで、給油作業が行える高さまで体を移動させる際には、機体３の側面に設けられる手摺り１７を把持することで、給油作業が行える高さまで容易に体を移動させることができる。
【００２８】
燃料タンク７の機体側面側には、図４及び図５で示すように側面カバー１２が設けられており、側面カバー１２は機体の外側面を構成し燃料タンク７を開閉自在に覆い、側面カバー１２と燃料タンク７との間には工具、機器等を収容する収容室１３が形成されている。
【００２９】
側面カバー１２は、機体３の側面から外方に向けて開閉自在に蝶着された開き戸タイプのものであって、作業員は、側面カバー１２を開放して収容室１３内に収容される工具、機器等を手にできる。側面カバー１２は、例えば、図４中に鎖線で示す開閉軌跡１２ｃのように機体前方に開放できる。
【００３０】
側面カバー１２には、図６で示すように機体の外側となる側面カバー１２の表面１２ａから裏面１２ｂ方向に凹む凹部１５が設けられ、凹部１５内には表面１２ａと裏面１２ｂとを貫通する開孔部１４が設けられる。
【００３１】
手摺り１７は、図７に示すように、側面カバー１２の内側にて、固定部１７ｃから機体前方向に延出し、折曲部１７ｂにて機体外側に向けて屈曲し、屈曲した先に把持部１７ａを形成するように構成されている。
【００３２】
把持部１７ａ、折曲部１７ｂおよび固定部１７ｃは、連続して延出するように形成され、例えばパイプ部材を折り曲げることにより形成されている。
【００３３】
固定部１７ｃは、機体３上に配される手摺り固定部材としてのガード柱１６に固定され、ガード柱１６は、アッパーフレーム１１から立設し、側面カバー１２の内側に設置されている。
【００３４】
把持部１７ａは、側面カバー１２の閉状態において、側面カバー１２の裏面１２ｂ側から開孔部１４を通り表面１２ａ側に露出し、凹部１５に収容される。
【００３５】
上述した構成によれば、手摺り１７は、側面カバー１２の開閉軌道１２ｃに係らず干渉することはないので、作業員が、地上から給油作業を行うメンテナンス対象物の高さまで容易な体勢で体を移動させることが可能な側面カバー１２の任意の位置に手摺り１７を設置できる。
【００３６】
さらに、側面カバー１２を閉じた状態で手摺り１７の把持部１７ａを把持できるので、作業員が手摺り１７を使用する際には、側面カバー１２の開閉状態を気にすることなく使用できる。また、機体側面に設けられ側面カバー１２の機体前後方向に隣接する開閉自在の開閉カバー、およびキャブの扉６ａの開閉状態や開閉軌跡も気にすることなく使用できる。
【００３７】
また、側面カバー１２を閉じた状態で、手摺り１７を構成する把持部１７ａは機体外側に露出しているので、作業員は、手摺りがあることを判別でき、手摺りの配置から、メンテナンス対象物まで体を移動させるための手摺りであることを一見して認識することができる。
【００３８】
把持部１７ａは、図６で示すように、側面カバー１２の閉状態において凹部１５内に収容するように構成される。このことにより、手摺り１７は、作業員または作業員以外の物体が手摺り１７の傍に近づく際に邪魔にならない。
【００３９】
なお、開孔部１４には、図８に示すスリット１９ａを設けた弾性部材１９が装着される。側面カバー１２の開閉時には、把持部１７ａに接触する弾性部材１９が変形しスリット１９ａが広がるため、把持部１７ａが挿通可能となる。側面カバー１２の閉状態時には、弾性部材１９は元の形に戻り、側面カバー１２の開孔部１４の外側から収容室１３内への雨水等の浸入を防ぐことができる。
【００４０】
以上、本発明の実施の形態について説明したが、本発明は、前述した実施の形態に限定されるものではなく、他の構成をとることが可能である。
【００４１】
例えば、手摺り１７の折曲部１７ｂは、屈曲する形状以外に、緩やかに湾曲する形状であってもよい。また、ガード柱１６の配置が、側面カバー１２の開孔部１４に接近する場合、手摺り１７は、固定部１７ｃから延出して把持部１７ａを形成し、折曲部１７ｂが無い構成としてもよい。
【符号の説明】
【００４２】
１      建設機械（油圧ショベル）
３      上部旋回体（機体）
４      アタッチメント
５      カウンタウエイト
６      キャブ
６ａ    キャブの扉
７      燃料タンク
７ａ    給油口
１０    機械室
１１    アッパーフレーム
１２    側面カバー
１２ａ  側面カバーの表面
１２ｂ  側面カバーの裏面
１２ｃ  側面カバーの開閉軌跡
１３    収容室
１４    開孔部
１５    凹部
１６    ガード柱
１７    手摺り
１７ａ  把持部
１７ｂ  折曲部
１７ｃ  固定部
１９    弾性部材
１９ａ  スリット
２０    ガードカバー
【図１】
0006458573.tif 000002
【図２】
0006458573.tif 000003
【図３】
0006458573.tif 000004
【図４】
0006458573.tif 000005
【図５】
0006458573.tif 000006
【図６】
0006458573.tif 000007
【図７】
0006458573.tif 000008
【図８】
0006458573.tif 000009